(57)【要約】 【課題】  商品の広告情報を実際の商品とともに提供することにより、商品購入に対する使用者（消費者）の不安感を払拭させるとともに、商品購入の機会をより多く与えることのできる情報端末装置及び広告管理装置並びに広告システムを提供することを目的とする。【解決手段】  情報端末装置１０は、雑誌やチラシ、或いは車内広告などの紙面に掲載されている写真などではなく、商品自体からその商品の広告識別情報を取得し、この広告識別情報を広告管理装置３へ送信する。広告管理装置３では、広告識別情報に対応付けて広告情報を管理しており、情報端末装置１０から受信した広告識別情報に対応する広告情報をインターネットを介して情報端末装置１０へ送信する。情報端末装置１０は、受信した広告情報を表示装置に表示させる。この結果、商品の広告情報を実際の商品とともに提供することが可能となる。【選択図】      図１
2006267203.tif 000002
【特許請求の範囲】
【請求項１】
商品自体に付帯された広告識別情報を取得する取得手段と、
前記広告識別情報とその広告情報とを対応付けて管理する広告管理装置に対して、前記取得手段により取得された前記広告識別情報を送信する送信手段と、
前記広告識別情報に対応する広告情報を前記広告管理装置から受信する受信手段と、
前記受信手段により受信された前記広告情報を表示する表示手段と
を具備する情報端末装置。
【請求項２】
前記取得手段は、前記商品を画像として取得する撮像手段であり、
前記送信手段は、前記撮像手段により取得された前記商品の画像を前記商品の広告識別情報として広告管理装置へ送信する請求項１に記載の情報端末装置。
【請求項３】
前記取得手段は、前記商品の位置情報を取得する位置情報取得手段であり、
前記送信手段は、前記位置情報取得手段により取得された前記商品の位置情報を前記広告識別情報として前記広告管理装置へ送信する請求項１に記載の情報端末装置。
【請求項４】
画像表示手段と、
前記画像表示手段に情報を表示させる画像表示制御手段と、
使用者の視線方向の実視野からの光を透過するとともに、前記画像表示手段に表示された情報を光学的に虚像として、前記実視野中に重畳的に表示する半透過光学素子と、
前記実視野中に存在する商品自体に付帯された視認不可の広告識別情報を取得する取得手段と、
前記広告識別情報とその広告情報とを対応付けて管理する広告管理装置に対して、前記取得手段により取得された前記広告識別情報を送信する送信手段と、
前記広告識別情報に対応する広告情報を前記広告管理装置から受信する受信手段と
を備え、
前記画像表示制御手段が、前記受信手段により受信された前記広告情報を前記画像表示手段に表示する情報端末装置。
【請求項５】
商品に個別に割り当てられた広告識別情報とその商品の広告情報とを対応付けて格納するデータベースと、
情報端末装置から広告識別情報を受信した場合に、その広告識別情報に対応する広告情報を前記データベースから抽出する広告情報抽出手段と、
抽出された前記広告情報を前記情報端末装置へ送信する通信手段と
を具備する広告管理装置。
【請求項６】
商品の画像とその広告情報とを対応付けて格納するデータベースと、
情報端末装置から商品の画像を受信した場合に、その画像に対応する広告情報を前記データベースから抽出する広告情報抽出手段と、
抽出された前記広告情報を前記情報端末装置へ送信する通信手段と
を具備する広告管理装置。
【請求項７】
商品の位置情報とその広告情報とを対応付けて格納するデータベースと、
情報端末装置から商品の位置情報を受信した場合に、その位置情報に対応する広告情報を前記データベースから抽出する広告情報抽出手段と、
抽出された前記広告情報を前記情報端末装置へ送信する通信手段と
を具備する広告管理装置。
【請求項８】
商品自体又は前記商品の周辺に取り付けられるとともに、前記商品の情報が記憶されている記憶装置と、
情報端末装置と
を備え、
前記情報端末装置は、
近傍に存在する前記記憶装置からその記憶装置に記憶されている商品の情報を取得する取得手段と、
前記取得手段により取得された広告情報を表示させる表示手段と
を具備する広告システム。
【請求項９】
使用者が携帯する情報端末装置と、前記情報端末装置に対して広告情報を配信する広告管理装置とを具備する広告システムであって、
前記広告管理装置が、
商品に個別に割り当てられた広告識別情報とその商品の広告情報とを対応付けて格納するデータベースと、
前記情報端末装置から広告識別情報を受信した場合に、その広告識別情報に対応する広告情報を前記データベースから抽出する広告情報抽出手段と、
抽出された前記広告情報を前記情報端末装置へ送信する通信手段と
を有し、
前記情報端末装置が、
近傍に存在する商品自体に付帯された視認不可の広告識別情報を取得する取得手段と、
前記広告管理装置に対して、前記取得手段により取得された前記広告識別情報を送信する送信手段と、
前記広告管理装置から前記広告識別情報に対応する広告情報を受信する受信手段と、
前記受信手段により受信された前記広告情報を表示する表示手段と
を有する広告システム。
【発明の詳細な説明】
【技術分野】
【０００１】
この発明は、実視野中に所定の情報を虚像として表示させる情報端末装置及び広告管理装置並びに広告システムに関するものである。
【背景技術】
【０００２】
従来、看板或いはポスターなどの広告に関する詳細な情報をその場で消費者に伝え、更に、消費者が商品購入、キャンペーン応募、アンケート回答、資料請求等の受付をその場で行うことのできる広告システムが知られている（例えば、特開２００２−４４０４２号公報）。
このような従来の技術では、例えば、広告に取り付けられた無線通信装置とサーバとをネットワークを介して接続しておき、消費者が携帯する情報端末装置から上記無線通信装置に対してアクセスがあった場合には、無線通信装置を介してサーバにその旨の情報が送信され、サーバからその商品などの広告に関する情報が上記情報端末装置に配信される広告システムが開示されている。
【特許文献１】特開２００２−４４０４２号公報（第１図）
【発明の開示】
【発明が解決しようとする課題】
【０００３】
上述した従来の広告システムでは、消費者が興味深い広告を見つけた場合に、即座にその詳細情報を取得することができるため大変便利である。しかしながら、広告やサーバが提供する情報は、いずれも二次元の文字情報や画像情報であるため、実際の商品の質感や色彩などの詳細を正確に伝えることは非常に難しかった。
このため、消費者は、与えられた画像から実際の商品を推測し、その商品の質感や色彩などが少々異なっても許容できるか否かを吟味して、購入を決断する必要があった。また、このような決断をした場合であっても、購入した商品が画像から推測された商品と大きく異なっているときは、返品などの手続をとらなくてはならなかった。
【０００４】
一方、消費者の観点から考えると、町を歩いているときなどにパーキングに駐車されている車や、すれ違った人が身につけている物などに興味を抱くことがある。このような場合、消費者は、興味を抱いた商品を購入するために、自ら雑誌やインターネットなどを利用して、商品購入に必要な情報、例えば、製造・販売元などの情報を得なければならない。また、車などのように、車種などがはっきりしているものは、商品購入に関する情報の入手が比較的容易であるが、製造販売元がはっきりしないものについては、その商品を探すための手がかりとなる情報が乏しいため、結局、購入を断念せざるを得ない。そして、このような状況は、商品を購入できなかった消費者だけでなく、その商品の製造販売元にとっても、せっかくの販売の機会を失ったこととなってしまう。
【０００５】
この発明は上述した事情に鑑みてなされたものであって、商品の広告情報を実際の商品とともに提供することにより、商品購入に対する使用者（消費者）の不安感を払拭させるとともに、商品購入の機会をより多く与えることのできる情報端末装置及び広告管理装置並びに広告システムを提供することを目的とする。
【課題を解決するための手段】
【０００６】
上記目的を達成するために、本発明は、以下の手段を提供する。
本発明は、商品自体に付帯された広告識別情報を取得する取得手段と、前記広告識別情報とその広告情報とを対応付けて管理する広告管理装置に対して、前記取得手段により取得された前記広告識別情報を送信する送信手段と、前記広告識別情報に対応する広告情報を前記広告管理装置から受信する受信手段と、前記受信手段により受信された前記広告情報を表示する表示手段とを具備する情報端末装置を提供する。
【０００７】
上記構成によれば、取得手段により、商品自体に付帯された広告識別情報が取得される。つまり、雑誌やチラシ、或いは車内広告などの紙面に掲載されている写真などではなく、商品実物から直接的に識別情報が取得される。そして、取得手段により取得された広告識別情報は、広告管理装置へ送信され、この広告識別情報に対応する広告情報が広告管理装置から送られてくる。この広告情報は、受信手段により受信されて、表示手段に表示される。これにより、情報端末装置を携帯している使用者に対して、実際の商品とともに、その商品の広告情報を提供することが可能となる。これにより、商品購入に対する不安感を払拭させることが可能となる。また、使用者が偶然目にした商品に対しも、その商品の広告情報を提供することが可能となる。
【０００８】
上記記載の情報端末装置において、前記取得手段は、前記商品自体又は前記商品周辺に取り付けられたＩＣタグから情報を取得するＩＣタグリーダを備え、前記ＩＣタグに記憶されている前記広告識別情報を無線により取得する請求項１に記載の情報端末装置。
【０００９】
上記構成によれば、広告識別情報は、商品自体又は商品周辺に取り付けられたＩＣタグに記憶されている。そして、情報端末装置がこのＩＣタグに接近した場合に、取得手段が備えるＩＣタグリーダにより、商品自体などに取り付けられているＩＣタグから広告識別情報が読み取られ、この広告識別情報が上述の広告管理装置に対して送信されることとなる。このように、ＩＣタグ及びＩＣタグリーダなどを用いることにより広告識別情報を容易に取得することが可能となる。
【００１０】
上記記載の情報端末装置において、前記取得手段は、前記商品を画像として取得する撮像手段であり、前記送信手段は、前記撮像手段により取得された前記商品の画像を前記商品の広告識別情報として広告管理装置へ送信すると良い。
【００１１】
上記構成によれば、撮像手段により実際の商品が撮像され、その画像が広告識別情報として、送信手段により、広告管理装置へ送信される。広告管理装置では、商品の画像とその広告情報とが対応付けられて管理されているため、送信した画像に対応する広告情報が抽出されて、情報端末装置へ送信されることとなる。これにより、商品の情報が表示手段に表示されることとなる。
このように、撮像手段により取得された商品の画像を広告識別情報として取り扱うので、情報端末装置の使用者は、興味がある商品の画像を撮像手段により取得させるだけで、その商品の情報を簡単に取得することが可能となる。
【００１２】
上記記載の情報端末装置において、前記取得手段は、前記商品の位置情報を取得する位置情報取得手段であり、前記送信手段は、前記位置情報取得手段により取得された前記商品の位置情報を前記広告識別情報として前記広告管理装置へ送信すると良い。
【００１３】
上記構成によれば、取得手段により、商品の位置情報が取得され、その位置情報が広告識別情報として、送信手段により、広告管理装置へ送信される。広告管理装置では、商品の位置情報とその広告情報とが対応付けられて管理されているため、送信した位置情報に対応する広告情報が抽出されて、情報端末装置へ送信される。そして、この広告情報は、情報端末装置の受信手段により受信され、表示手段に表示されることとなる。
【００１４】
本発明は、画像表示手段と、前記画像表示手段に情報を表示させる画像表示制御手段と、使用者の視線方向の実視野からの光を透過するとともに、前記画像表示手段に表示された情報を光学的に虚像として、前記実視野中に重畳的に表示する半透過光学素子と、前記実視野中に存在する商品自体に付帯された視認不可の広告識別情報を取得する取得手段と、前記広告識別情報とその広告情報とを対応付けて管理する広告管理装置に対して、前記取得手段により取得された前記広告識別情報を送信する送信手段と、前記広告識別情報に対応する広告情報を前記広告管理装置から受信する受信手段とを備え、前記画像表示制御手段が、前記受信手段により受信された前記広告情報を前記画像表示手段に表示する情報端末装置を提供する。
【００１５】
上記構成によれば、取得手段により、実視野中に存在する商品自体に付帯された広告識別情報が取得される。そして、取得手段により取得された広告識別情報は、広告管理装置へ送信され、この広告識別情報に対応する広告情報が広告管理装置から送られてくる。この広告情報は、受信手段により受信されて、画像表示制御手段により画像表示手段に表示される。これにより、画像表示手段に表示された広告情報は、実視野内に虚像として実際の風景と重畳的に表示されることとなる。これにより、例えば、実視野内にある実際の商品に対する広告情報がその商品に重畳されて、或いは、商品の周辺に、虚像として現れることとなるので、広告情報を効果的に使用者に提供することが可能となる。
【００１６】
本発明は、商品に個別に割り当てられた広告識別情報とその商品の広告情報とを対応付けて格納するデータベースと、情報端末装置から広告識別情報を受信した場合に、その広告識別情報に対応する広告情報を前記データベースから抽出する広告情報抽出手段と、抽出された前記広告情報を前記情報端末装置へ送信する通信手段とを具備する広告管理装置を提供する。
【００１７】
上記構成によれば、データベースには、商品に個別に割り当てられた広告識別情報とその商品の広告情報とが対応付けられて格納されている。そして、情報端末装置から広告識別情報を受信した場合には、広告情報抽出手段によって、その広告識別情報に対応する広告情報がデータベースから抽出され、抽出された広告情報が通信手段により情報端末装置へ送信されることとなる。
【００１８】
本発明は、商品の画像とその広告情報とを対応付けて格納するデータベースと、情報端末装置から商品の画像を受信した場合に、その画像に対応する広告情報を前記データベースから抽出する広告情報抽出手段と、抽出された前記広告情報を前記情報端末装置へ送信する通信手段とを具備する広告管理装置を提供する。
【００１９】
上記構成によれば、データベースには、商品の画像とその商品の広告情報とが対応付けられて格納されている。そして、情報端末装置から商品の画像を受信した場合には、広告情報抽出手段によって、その画像に対応する広告情報がデータベースから抽出され、抽出された広告情報が通信手段により情報端末装置へ送信されることとなる。
【００２０】
本発明は、商品の位置情報とその広告情報とを対応付けて格納するデータベースと、情報端末装置から商品の位置情報を受信した場合に、その位置情報に対応する広告情報を前記データベースから抽出する広告情報抽出手段と、抽出された前記広告情報を前記情報端末装置へ送信する通信手段とを具備する広告管理装置を提供する。
【００２１】
上記構成によれば、データベースには、商品の位置情報とその商品の広告情報とが対応付けられて格納されている。そして、情報端末装置から商品の位置情報を受信した場合には、広告情報抽出手段によって、その位置情報に対応する広告情報がデータベースから抽出され、抽出された広告情報が通信手段により情報端末装置へ送信されることとなる。商品の位置情報は、例えば、商品自体にＧＰＳ（Global Positioning System）などの位置情報取得手段を取り付けておき、このＧＰＳにより取得された位置情報と、この商品の識別情報とを互いに対応付けた商品情報を定期的に商品から受け取ることにより、商品の位置情報をリアルタイムで監視することが可能となる。
【００２２】
本発明は、広告媒体者が所有する商品自体又は前記商品の周辺に取り付けられるとともに、前記商品の情報が記憶されている記憶装置と、情報端末装置とを備え、前記情報端末装置は、近傍に存在する前記記憶装置からその記憶装置に記憶されている商品の情報を取得する取得手段と、前記取得手段により取得された広告情報を表示させる表示手段とを具備する広告システムを提供する。
【００２３】
上記構成によれば、例えば、広告媒体者が所有する商品自体には、その商品の情報が記憶されている記憶装置が取り付けられている。そして、情報端末装置は、その記憶装置が近傍に存在する場合に、その記憶装置に記憶されている商品の情報を取得し、取得した情報を表示する。これにより、情報端末装置の使用者に対して、近傍にある商品の広告情報を提供することが可能となる。これにより、使用者は近傍に存在する商品自体を見ながら、その商品の情報を取得することが可能となる。
上記記憶装置としては、例えば、ＩＣタグが一例として挙げられる。
上記広告媒体者とは、例えば、自己の所有物を広告商品として持ち歩く者をいう。
また、本発明の広告システムにおいて、上記記憶装置は、自己に記憶されている情報が読み取られた回数をカウントするカウント手段を備えており、このカウント数に応じた得点（例えば、課金）をその商品の所有者（広告媒体者）に対して付与するようにしても良い。
【００２４】
本発明は、使用者が携帯する情報端末装置と、前記情報端末装置に対して広告情報を配信する広告管理装置とを具備する広告システムであって、前記広告管理装置が、商品に個別に割り当てられた広告識別情報とその商品の広告情報とを対応付けて格納するデータベースと、前記情報端末装置から広告識別情報を受信した場合に、その広告識別情報に対応する広告情報を前記データベースから取得する広告情報抽出手段と、取得された前記広告情報を前記情報端末装置へ送信する通信手段とを有し、前記情報端末装置が、近傍に存在する商品自体に付帯された視認不可の広告識別情報を取得する取得手段と、前記広告管理装置に対して、前記取得手段により取得された前記広告識別情報を送信する送信手段と、前記広告管理装置から前記広告識別情報に対応する広告情報を受信する受信手段と、前記受信手段により受信された前記広告情報を表示する表示手段とを有する広告システムを提供する。
【発明の効果】
【００２５】
本発明の情報端末装置及び広告管理装置並びに広告システムによれば、商品の広告情報を実際の商品とともに提供するので、商品購入に対する使用者（消費者）の不安感を払拭させるとともに、商品購入の機会をより多く与えることができるという効果を奏する。
【発明を実施するための最良の形態】
【００２６】
以下に、本発明に係る広告システムの一実施形態について、〔第１の実施形態〕、〔第２の実施形態〕、〔第３の実施形態〕の順に、図面を参照して説明する。
〔第１の実施形態〕
図１は、本発明の第１の実施形態に係る広告システムの概略構成を示した図である。
図１に示すように、本実施形態に係る広告システムは、情報端末装置１０及び広告管理装置３を備えて構成されている。
【００２７】
情報端末装置１０は、図２及び図３に示すように、後述する各種制御機構及び制御基板等を内蔵した筐体（本体）１１の外部に、表示装置１２、撮像装置（撮像部）１３、及び操作部１４を備えている。
上記表示装置１２は、画像表示部１５及びコンバイナー１６を備えている。これら画像表示部１５及びコンバイナー１６は、格納状態で、筐体１１を貫通する開口部１７の空間部に収納され（図２参照）、それぞれが矩形状とした短辺側の一辺を筐体１１に軸支されて揺動による開閉動作が可能とされる。
【００２８】
画像表示部１５は、例えば、液晶表示パネル（ＬＣＤ）や有機ＥＬ表示パネル等のいわゆる薄型ディスプレイ（以下「表示面」という。）１５１を備え、後述する画像表示制御部２４（図５参照）から出力された情報を表示面１５１に表示する。この画像表示部１５１は、例えば、筐体１１に軸支されている支持部材１５２に固定され、その表示面１５１は、後述するコンバイナー１６と格納状態で対向する面に、換言すれば、筐体１１の内側に向けられている。
【００２９】
コンバイナー１６は、画像表示部１５からの光、すなわち画像表示部１５の表示面１５１に表示された情報の光を反射するとともに、使用者の視線方向の実視野からの光を透過する半透過型光学素子である。換言すれば、コンバイナー１６は、少なくとも１面に自由曲面（３次元非球面）を備え、実視野となる外界像を透過するとともに、画像表示部１５の表示面１５１に表示された情報（例えば、画像や文字）を光学的に虚像として実視野中の実像に重畳的に表示する半透過型光学素子である。
【００３０】
本実施形態において、コンバイナー１６は、例えば、アクリルやポリカーボネート等の透明な材質からなる略長方形板状の部材であり、その片面側に金属膜等の反射層が形成されている。この反射層の表面が、画像表示部１５から入射した光を表面で反射させる反射面１６１となる。
なお、上記コンバイナー１６としては、上述の半透過型光学素子のほか、例えば、ハーフミラー、ホログラム素子などを採用することも可能であり、目的に応じてこれらの１つを適宜選択して採用することが可能である。
【００３１】
情報端末装置１０の収納時においては、図３に示すように、画像表示部１５とコンバイナー１６とが開口部１７に収納され、このため、画像表示部１５とコンバイナー１６とが重ねられた状態で、画像表示部１５に表示された情報がコンバイナー１６を介して使用者に直接的に提供される。
一方、情報端末装置１０の使用時においては、図２に示すように、コンバイナー１６の反射面１６１と画像表示部１５の表示面１５１とが略対向し、かつ、筐体１１とともに略Ｚ字状を形成するように開かれる。
そして、図４に示すように、筐体１１の後端部側となる側面１８が使用者の側頭部に押し当てられるように保持される。この状態において、画像表示部１５の表示面１５１に表示された情報の光は、開口部１７を通じて斜め前方へ向けて出射され、反射面１６１によって筐体１１の後端部側へ向けて反射される。これにより、使用者には、コンバイナー１６の前方に、すなわち、使用者から見てコンバイナー１６よりも遠方に、画像表示部１５に表示された情報が虚像として視認される。
【００３２】
撮像装置１３は、コンバイナー１６を介した実視野中の情報を取得する。このため、撮像装置１３は、図４に示すように、当該情報端末装置の使用時において、使用者の視線方向に広がるコンバイナー１６を介した実視野の風景を撮像可能な位置に設けられている。撮像装置１３は、使用者の視線方向の風景を撮像し、取得した画像を後述する処理部２３（図５参照）へ出力する。
撮像装置１３としては、例えば、感光フィルム等の感光体を用いたアナログ式撮像装置を用いてもよく、またＣＣＤ素子等の撮像素子を用いたデジタル式撮像装置を用いてもよい。本実施形態では、撮像装置１３として、デジタル式撮像装置が用いられている。
操作部１４は、複数のテンキーやボタンなどを備えるマンインターフェイス（入力部）として機能するものであり、使用者による操作内容に応じた信号を後述する処理部２３（図５参照）に出力する。
【００３３】
次に、上述してきた情報端末装置１０及び広告管理装置３（図１参照）の電気的構成について、図５を参照して説明する。
図５は、本実施形態に係る情報端末装置１０及び広告管理装置３の電気的構成の概略を示したブロック図である。この図において、図１乃至図４と同様の構成要素には、同一の符号を付している。
図５に示すように、情報端末装置１０は、上述した表示装置１２、撮像装置１３、操作部１４を備えているほか、筐体１１の内部に、通信部２１、処理部２３、及び画像表示制御部２４などを備えている。通信部２１、撮像装置１３、操作部１４、及び画像表示制御部２４は、いずれも処理部２３と電気的に接続されており、情報の授受が可能な構成とされている。
【００３４】
上記通信部２１は、処理部２３からの指示に基づいて、インターネットを介して後述の広告管理装置３と通信を行うものである。処理部２３は、上述した各部から入力された各種情報に基づいて各種処理を実行し、各種処理結果に応じた情報を画像表示制御部２４に出力する。例えば、処理部２３は、図示しないＣＰＵ（中央演算装置）、ＨＤ（Hard Disc）、ＲＯＭ（Read Only Memory）、ＲＡＭ（Random Access Memory）等から構成されている。後述する各種機能を実現するための一連の処理手順は、プログラムの形式でＨＤ等に記録されており、このプログラムをＣＰＵがＲＡＭ等に読み出して、情報の加工・演算処理を実行することにより、各種機能が実現される。
【００３５】
一方、広告管理装置３は、通信部３１、広告情報データベース３２、及び処理部３４を備えて構成されている。
上記通信部３１は、インターネットを介して情報端末装置１０と通信を行うものである。
広告情報データベース３２には、商品に個別に割り当てられた広告識別情報とその商品の広告情報とが対応付けられて格納されている。本実施形態では、広告識別情報として、その商品の画像が用いられている。また、広告情報は、例えば、その商品を購入するために必要となる情報であり、例えば、商品の製造元、販売店舗、価格、セール情報、販売店舗のマップなどが挙げられる。
【００３６】
処理部３４は、例えば、広告情報抽出部３４１を備えて構成されている。この処理部３４は、例えば、図示しないＣＰＵ（中央演算装置）、ＨＤ（Hard Disc）、ＲＯＭ（Read
Only Memory）、ＲＡＭ（Random Access Memory）等から構成されている。上記広告情報抽出部３４１などの各種機能を実現するための一連の処理手順は、プログラムの形式でＨＤ等に記録されており、このプログラムをＣＰＵがＲＡＭ等に読み出して、情報の加工・演算処理を実行することにより、各種機能が実現される。
【００３７】
次に、上記構成を備える広告システムの作用について説明する。
まず、図１に示されるように、情報端末装置１０の使用者１は、使用状態における情報端末装置１０の筐体１１の側面を自己の側頭部に押し当てられるように保持された状態で、コンバイナー１６を介した実視野内に気に入った商品を見つけると、その商品の画像を取得させる（図６のステップＳＡ１）。具体的には、コンバイナー１６において予め設定されている所定のフレーム領域に、気に入った商品１００が位置するように、情報端末装置の位置や向きを調整する。これにより、撮像装置１３によって実視野内の実像の画像が取得されることとなる。
なお、上記気に入った商品１００には、例えば、図１に示すように、すれ違う人（符号２）が携帯しているバックや、或いは、路上に駐車されている車など、様々なものが挙げられる。
【００３８】
商品１００の画像が撮像装置１３により取得されると、この画像は情報端末装置１０内の処理部２３（図５参照）に入力される。処理部２３は、入力された画像に対応する広告情報を取得するべく、当該画像と広告配信要求とを対応付けた情報を通信部２１に出力する。これにより、通信部２１は、当該画像と広告配信要求とをインターネットを介して接続される広告管理装置３へ送信する（図６のステップＳＡ２）。
【００３９】
当該画像と広告配信要求とは、インターネットを介して広告管理装置３の通信部３１により受信され、処理部３４へ入力される（図６のステップＳＡ３）。処理部３４の広告情報抽出部３４１は、広告情報データベースをから入力された画像に対応付けられている広告情報を検索する（図６のステップＳＡ４）。具体的には、受信した当該画像と、広告情報データベース３２に格納されている商品の画像とを画像マッチングさせることによって検索を行う。
【００４０】
この結果、当該画像に対応する広告情報が取得された場合には（図６のステップＳＡ５において「ＹＥＳ」）、その広告情報を当該広告配信要求の送信元である情報端末装置１０へ配信するべく、広告情報と当該商品の画像とを対応付けて通信部３１へ出力する（図６のステップＳＡ６）。これにより、広告情報と当該商品の画像とは互いに対応付けられて、インターネットを介して情報端末装置１０の通信部３１により受信され、その後、処理部２３へ入力される。処理部２３は、入力された広告情報を画像表示制御部２４へ出力する。画像表示制御部２４は、処理部２３から入力された広告情報を画像表示部１５に表示させる（図６のステップＳＡ７）。これにより、例えば、図７に示すように、コンバイナー１６を介した実視野内に、当該商品１００に係る広告情報２００が虚像として重畳された画像が使用者（消費者）に提供されることとなる。
【００４１】
なお、上述した図６のステップＳＡ５において、情報端末装置１０から送信されてきた画像に対応する広告情報が、広告情報データベース３２に格納されていない場合には（図６のステップＳＡ５において「ＮＯ」）、広告情報抽出部３４１により、該当する広告情報がない旨を示すメッセージが通信部３１へ出力される（図６のステップＳＡ８）。これにより、上記メッセージがインターネットを介して情報端末装置１０の通信部２１により受信され、この情報が画像表示制御部２４によって画像表示部１５に表示されることとなる（図６のステップＳＡ７）。これにより、コンバイナー１６を介した実視野中には、該当する広告情報がない旨を通知するメッセージが虚像として表示されることとなる。
【００４２】
以上説明してきたように、本実施形態に係る広告システムによれば、使用者の実視野中に存在する商品に関する広告情報をその商品とともに提供することが可能となるので、商品購入に対する使用者（消費者）の不安感を払拭させることができる。
【００４３】
更に、使用者が偶然見かけた商品に対して興味を抱いた場合に、その商品の詳細情報を使用者に対して提供することが可能となるため、使用者は興味を抱いた商品を自分で調べることなく、その商品の販売元情報などを取得することができる。これにより、商品購入の機会をより多く与えることができる。
【００４４】
なお、上述の実施形態において、例えば、図８のように、広告管理装置３から受信した広告情報を、コンバイナー１６を介した実視野内の商品と関連付けた態様で表示させるようにしても良い。図８では、関連付けの一例として、吹出を使用したものを図示した。このような関連付けを行う場合には、コンバイナー１６を介した実視野内において、商品を特定し、他と識別する必要があるが、これについては、例えば、広告管理装置３から受信した当該商品の画像と撮像装置１３により取得された実視野内の画像とをマッチングすることにより、実視野中の商品を特定することが可能となる。
【００４５】
また、上述のように関連付けを行わないまでも、実視野中における商品と重ならない位置に広告情報を虚像として表示させることにより、広告情報を見やすい態様で使用者に提供することができる。例えば、撮像装置１３により取得される画像において実像の輪郭を認識し、その輪郭の外側に上記広告情報を虚像として表示させると良い。
なお、上述した広告情報の表示の態様については、一例であり、利用者に対してより見やすいように、表示位置を工夫しても良い。
【００４６】
〔第２の実施形態〕
次に、本発明の第２の実施形態に係る広告システムについて説明する。
上述した第１の実施形態では、商品の画像をその商品の広告情報を特定するための広告識別情報として採用していたが、本実施形態では、各商品に対して予め固有の識別情報、例えば、広告識別番号を割り当て、この広告識別番号を広告識別情報として採用する。
以下、本実施形態に係る広告システムについて詳しく説明する。
【００４７】
まず、本実施形態では、図１に示される商品自体又は商品１００の周辺に、その商品１００の広告識別番号が記憶されたＩＣタグを取り付ける。
一方、情報端末装置１０には、上記ＩＣタグから広告識別番号を読み取るためのＩＣタグリーダの機能を設け、更に、広告管理装置３の広告情報データベース３２（図５参照）には、各広告識別番号とその広告情報とを対応付けて格納する。
【００４８】
このような構成において、使用者1が図１に示すように、使用状態における情報端末装置１０を自己の側頭部に保持した状態で、商品１００を所持している者（公告媒体者）２とすれ違うなどした場合には、上記ＩＣタグに書き込まれている広告識別番号が情報端末装置１０に搭載されたＩＣタグリーダの機能により、読み取られ、この広告識別番号が広告管理装置３へ送信される。この結果、広告管理装置３では、この広告識別番号に対応する広告情報が抽出され、この広告情報がインターネットを介して情報端末装置１０へ送信されることとなる。これにより、上述した第１の実施形態と同様に、広告情報が使用者に提供されることとなる。
【００４９】
以上、説明してきたように、本実施形態に係る広告システムによれば、広告識別番号は、商品自体又は商品周辺に取り付けられたＩＣタグに記憶されている。そして、情報端末装置がこのＩＣタグに接近した場合に、情報端末装置１０が備えるＩＣタグリーダにより、商品自体などに取り付けられているＩＣタグから広告識別番号が読み取られ、この広告識別番号が上述の広告管理装置３に対して送信されることとなる。このように、ＩＣタグ及びＩＣタグリーダなどを用いることにより、広告識別番号を容易に取得することが可能となる。更に、広告識別番号によって、広告情報を管理することにより、広告情報の抽出を容易に行うことが可能となる。これにより、広告情報の配信を速やかに行うことが可能となる。
【００５０】
〔第３の実施形態〕
次に、本発明の第３の実施形態に係る広告システムについて説明する。
本実施形態では、上述した広告情報を特定するための広告識別情報として、その商品の位置情報を採用する。つまり、広告管理装置では、商品自体の位置情報と広告情報とを対応付けて管理する。
【００５１】
具体的には、例えば、商品自体に、位置情報取得手段として、ＧＰＳ受信機を取り付ける。そして、各商品に取り付けられたＧＰＳ受信機により取得される位置情報が、定期的に広告管理装置３に通知されるようになっている。これにより、広告管理装置３では、商品の位置情報と、その商品の広告情報とが互いに対応付けられて管理されることとなる。
【００５２】
一方、情報端末装置１０は、図９に示すように、自己の位置情報を取得するＧＰＳ受信機４１と、コンバイナー１６を介した実視野中に存在する商品との相対的な位置関係を検出する相対位置検出手段を備えている。この相対位置検出手段は、例えば、コンバイナー１６を介した実視野の方向を検出する方角検出部４２及びコンバイナー１６を介した実視野内に存在する商品までの距離を検出する距離検出部４３を備えている。距離検出部４３としては、例えば、赤外線センサや撮像装置１３が備えているオートフォーカス機能を用いることが可能である。
【００５３】
このような構成において、使用者1が図１に示すように、使用状態における情報端末装置１０を自己の側頭部に保持した状態で、使用者が興味を抱く商品１００がコンバイナー１６を介した実視野中に入った場合には、使用者は、操作部１４を操作することにより、この商品１００の広告情報を取得したい旨を入力する。
【００５４】
このような操作が行われると、操作部１４から広告情報取得を示す信号が処理部２３（図９参照）に入力される。処理部２３はこの信号が入力されると、ＧＰＳ受信機４１により取得された自己の位置情報、方角検出部４２により検出された実視野の方角、及び距離検出部４３により検出された商品１００までの距離に基づいて、商品１００の位置情報を特定し、特定した位置情報を広告管理装置３へ送信する。これにより、広告管理装置３では、当該位置情報に対応する広告情報が広告情報データベース３２から抽出され、抽出された広告情報が情報端末装置１０へ配信される。これにより、情報端末装置１０の画像表示部１５には、広告情報が表示されることとなり、上述した第１の実施形態と同様、虚像として使用者に提供されることとなる。
【００５５】
以上、本発明の実施形態について図面を参照して詳述してきたが、具体的な構成はこの実施形態に限られるものではなく、本発明の要旨を逸脱しない範囲の設計変更等も含まれる。
第１に、上述した実施形態では、広告管理装置３が広告情報を一元的に管理し、この広告管理装置３から広告情報が情報端末装置１０へ提供される形態について述べたが、この例に限られず、例えば、各商品自体が自己の広告情報を備えているようにしても良い。例えば、商品自体又は商品の周辺に、その商品の広告情報が記憶されたＩＣタグを取り付けておき、情報端末装置１０は、各商品が備えるＩＣタグからその広告情報を受信することにより、広告情報を取得するようにしても良い。この場合には、上述した第２の実施形態に係る情報端末装置１０と同様に、情報端末装置１０は、ＩＣタグに記憶されている情報を読み取るための機能、例えば、ＩＣタグリーダなどの機能を備えていれば良い。
このように、各商品自体にその商品の広告情報を付帯させ、商品自体から直接的に情報を取得することにより、簡便な処理により広告情報を取得することが可能となる。
【００５６】
第２に、上述した広告システムにおいて、情報端末装置１０に広告情報を配信するだけではなく、広告情報を配信した回数をカウントしておき、この回数に応じて、その商品の所有者（以下「広告媒体者」という。）に対して、所定の特典を付与するような構成としても良い。このように、広告媒体者に対して広告情報の配信回数に応じた特典を付与することにより、登録媒体者の意識を向上させることが可能となるので、広告効果の向上を図ることができる。
【００５７】
第３に、上述した情報端末装置１０は、図２乃至図４に示したものに限られず、例えば、ＰＤＡ（Personal Digital Assistance）や携帯電話機などであっても良い。
【図面の簡単な説明】
【００５８】
【図１】本発明の第１の実施形態に係る広告システムの概略構成について説明する図である。
【図２】本発明の第１の実施形態に係る情報端末装置の構成例を示す外観斜視図である。
【図３】本発明の第１の実施形態に係る情報端末装置の構成例を示す外観斜視図である。
【図４】図２に示した画像表示部、コンバイナーの作用を説明するための図である。
【図５】本発明の第１の実施形態に係る情報端末装置及び広告管理装置の電気的構成例を示すブロック図である。
【図６】本発明の第１の実施形態に係る情報端末装置の作用を示すフローチャートである。
【図７】本発明の第１の実施形態に係る情報端末装置の広告情報提供時において、使用者によりコンバイナーを介して視認される情報の一例を示す図である。
【図８】本発明の第１の実施形態に係る情報端末装置の広告情報提供時において、使用者によりコンバイナーを介して視認される情報の一例を示す図である。
【図９】本発明の第３の実施形態に係る情報端末装置及び広告管理装置の電気的構成例を示すブロック図である。
【符号の説明】
【００５９】
１  使用者
２  広告媒体者
３  広告管理装置
１０  情報端末装置
１１  筐体
１２  表示装置
１３  撮像装置
１４  操作部
１５  画像表示部
１６  コンバイナー
２１  通信部
２３  処理部
２４  画像表示制御部
３１  通信部
３２  広告情報データベース
３４  処理部
３４１  広告情報抽出部
４１  ＧＰＳ受信部
４２  方角検出部
４３  距離検出部
【図１】
2006267203.tif 000003
【図２】
2006267203.tif 000004
【図３】
2006267203.tif 000005
【図４】
2006267203.tif 000006
【図５】
2006267203.tif 000007
【図６】
2006267203.tif 000008
【図７】
2006267203.tif 000009
【図８】
2006267203.tif 000010
【図９】
2006267203.tif 000011